(57)【要約】      （修正有）【課題】弾性的に柔らかい摩擦部材を使っても、操作性の良いエッジガイド装置を提供すること。【解決手段】媒体収容部に収容される被記録媒体の辺Eに接して搬送される被記録媒体をガイドし、前記辺の位置に対して接近及び離間する方向に摺動可能なエッジガイド本体と、前記エッジガイド本体が停止位置にあるときは摩擦力により該エッジガイド本体の停止状態を維持する摩擦停止機構とを備えるエッジガイド装置であって、前記摩擦停止機構は、前記媒体収容部に設けられる摺接面62に接触する摩擦部材63と、該摩擦部材を保持し、前記摺接面に接近及び後退する方向に摺動可能に前記エッジガイド本体の被取付部65に取り付けられる摩擦部材ホルダー67と、該摩擦部材ホルダーを前記摺接面に向けて付勢し、前記摩擦部材の接触面を前記摺接面に押し付ける付勢部材69とを備える。【選択図】図６
2011246248.tif 000002
【特許請求の範囲】
【請求項１】
媒体収容部に収容される被記録媒体の辺に接して搬送される被記録媒体をガイドし、前記辺の位置に対して接近及び離間する方向に摺動可能なエッジガイド本体と、
前記エッジガイド本体が停止位置にあるときは摩擦力により該エッジガイド本体の停止状態を維持する摩擦停止機構と、を備えるエッジガイド装置であって、
前記摩擦停止機構は、
前記媒体収容部に設けられる摺接面に接触する摩擦部材と、
該摩擦部材を保持し、前記摺接面に接近及び後退する方向に摺動可能に前記エッジガイド本体の被取付部に取り付けられる摩擦部材ホルダーと、
該摩擦部材ホルダーを前記摺接面に向けて付勢し、前記摩擦部材の接触面を前記摺接面に押し付ける付勢部材と、を備えることを特徴とするエッジガイド装置。
【請求項２】
請求項１に記載されたエッジガイド装置において、
前記摩擦部材ホルダーによる前記摩擦部材の保持構造は、前記摩擦部材の周囲の面であって少なくともエッジガイド本体の前記摺動方向に面する側を、前記摩擦部材の前記接触面を該摩擦部材ホルダーよりも前記摺接面側に突出させた状態で覆う構成であることを特徴とするエッジガイド装置。
【請求項３】
請求項１または２に記載されたエッジガイド装置において、
前記摩擦部材ホルダーは、前記エッジガイド本体の前記被取付部に対して摺動可能な全範囲において、該摩擦部材ホルダーの前記摺接面と面する端部が前記エッジガイド本体よりも前記摺接面側に位置するように構成されていることを特徴とするエッジガイド装置。
【請求項４】
請求項１または２に記載されたエッジガイド装置において、
前記摩擦部材ホルダーの前記摩擦部材の周囲を保持する部位の厚みが、前記摩擦部材が前記摺接面に押し付けられた状態における弾性変形によって前記厚み方向にはみ出る量よりも大きく設定されていることを特徴とするエッジガイド装置。
【請求項５】
被記録媒体を収容する媒体収容部を備える媒体収容カセットであって、
前記媒体収容部に、請求項１から４のいずれか一項に記載されたエッジガイド装置を備えていることを特徴とする媒体収容カセット。
【請求項６】
被記録媒体を収容する媒体収容部を備える記録装置であって、
前記媒体収容部に請求項１から４のいずれか一項に記載されたエッジガイド装置を備えていることを特徴とする記録装置。
【発明の詳細な説明】
【技術分野】
【０００１】
本発明は、媒体収容部に収容される被記録媒体の辺（エッジ）に接して搬送される被記録媒体をガイドするエッジガイド装置、該エッジガイド装置を備える媒体収容カセット及び記録装置に関するものである。
【背景技術】
【０００２】
ファクシミリやプリンター、複写機等で代表される記録装置は、用紙等の被記録媒体を収容する媒体収容部に、収容される被記録媒体の辺に接して搬送される該被記録媒体をガイドするエッジガイド装置が設けられている。  
この種のエッジガイド装置の従来技術として、下記特許文献１の特開２００３−１０４５６８号公報に記載されているものがある。ここに記載されているエッジガイド装置は、エッジガイド本体をスライド移動させる際に、停止位置においてその位置に保持するための摩擦部材を摺接面から離間させるための押圧部を備える構造を特徴としている。そのため、ユーザーがエッジガイド本体をスライド移動させる際にはその都度前記押圧部を操作しなければならず操作性に劣ると共に、構造が複雑になる問題がある。
【０００３】
また、下記特許文献２の特開平８−２１７２５９号公報に記載されているエッジガイド装置は、摩擦部材が弾性的に硬いものであるため、エッジガイド本体を停止保持する際の摩擦力を安定して発現させることができない。そのため、エッジガイド本体が停止位置から不用意に動いてしまい虞があり、搬送される被記録媒体をしっかりと位置決めしてガイドすることができないと共に操作性に劣る問題がある。
【０００４】
また、下記特許文献３の特開平１０−１０９７９１号公報に記載されているエッジガイド装置は、摩擦部材が弾性的に柔らかいもの（発泡ウレタンゴム）であるため、摩擦力が安定して出やすく、エッジガイド本体が停止位置から不用意に動く虞は少ない。しかし、柔らかい摩擦部材がエッジガイド本体側の可撓部と被記録材収納部側の摺接面との間に挟まれている構造であるため、弾性変形による摩擦力が安定せず、操作性に劣る問題がある。
【０００５】
図１０（Ａ）は、板形状の摩擦部材１００Ａが、エッジガイド本体１０１側に設けた凹形状の被取付部１０２に、被記録媒体を収容する媒体収容部側の摺接面１０３に接近及び後退する方向に摺動可能に取り付けられているエッジガイド装置を示す。図において、符号１０４は付勢部材としてのコイルスプリングを示す。  
摩擦部材１００Ａは付勢部材１０４の付勢力によって摺接面１０３に押し付けられる。エッジガイド本体１０１に、被記録媒体の幅方向へスライド移動させるための力が作用して摩擦部材１００Ａを摺接面１０３に押し付ける力が加重されると、該摩擦部材１００Ａは付勢部材１０４の付勢力に抗して摺接面１０３から後退する方向に移動する。そして、前記付勢部材１０４の付勢力と釣り合った位置で止まり、これにより該摩擦部材１００Ａによる摩擦抵抗がほぼ一定に維持されるようになっている。
【０００６】
しかし、図１０（Ａ）の構造は、摩擦部材として弾性的に硬いものでは成立するが、弾性的に柔らかい素材のものを用いると成立しない。  
図１０（Ｂ）に示したように、柔らかい摩擦部材１００Ｂを用いた場合、付勢部材１０４の押圧力によって弾性変形する変形量が多くなり、該柔らかい摩擦部材１００Ｂには幅方向に、はみ出し部１０５が生じる。このはみ出し部１０５ができると、凹形状の被取付部１０２の入り口部１０６に引っ掛かり、該摩擦部材１００Ｂは摺接面１０３から後退する方向に移動することができ難くなる。エッジガイド本体１０１に、被記録媒体の幅方向へスライド移動させるための力が作用して摩擦部材１００Ｂを摺接面１０３に押し付ける力が加重されると、前記はみ出し部１０５のはみ出し量が増す。  
その結果、図１０（Ａ）のように摩擦部材が摺接面１０３から後退する方向に移動することによる調整が効かなくなり、エッジガイド本体１０１を被記録媒体の幅方向にスライド移動させる際の移動抵抗が大きくなり、場合によっては移動困難で操作不能に至る虞がある。
【先行技術文献】
【特許文献】
【０００７】
【特許文献１】特開２００３−１０４５６８号公報
【特許文献２】特開平８−２１７２５９号公報
【特許文献３】特開平１０−１０９７９１号公報
【発明の概要】
【発明が解決しようとする課題】
【０００８】
本発明の課題は、弾性的に柔らかい摩擦部材を使っても、操作性の良いエッジガイド装置、該エッジガイド装置を備える媒体収容カセット及び記録装置を提供することにある。
【課題を解決するための手段】
【０００９】
本発明の第１の態様は、媒体収容部に収容される被記録媒体の辺に接して搬送される被記録媒体をガイドし、前記辺の位置に対して接近及び離間する方向に摺動可能なエッジガイド本体と、前記エッジガイド本体が停止位置にあるときは摩擦力により該エッジガイド本体の停止状態を維持する摩擦停止機構と、を備えるエッジガイド装置であって、前記摩擦停止機構は、前記媒体収容部に設けられる摺接面に接触する摩擦部材と、該摩擦部材を保持し、前記摺接面に接近及び後退する方向に摺動可能に前記エッジガイド本体の被取付部に取り付けられる摩擦部材ホルダーと、該摩擦部材ホルダーを前記摺接面に向けて付勢し、前記摩擦部材の接触面を前記摺接面に押し付ける付勢部材と、を備えることを特徴とするものである。
【００１０】
本態様によれば、摩擦停止機構は、摩擦部材を保持し、摺接面に接近及び後退する方向に摺動可能にエッジガイド本体の被取付部に取り付けられる摩擦部材ホルダーを備えている。従って、摩擦部材として弾性的に柔らかい素材（ウレタンフォーム等）のものが用いられて、前記付勢部材の付勢力によって該摩擦部材が弾性変形して前記はみ出し部ができても、当該摩擦部材ホルダーが介在しているので、そのはみ出しは当該摩擦部材ホルダーの部位で起こり、エッジガイド本体との間ではそのはみ出しの影響は生じないように構成することが可能になる。すなわちエッジガイド本体の前記被取付部の入り口部に前記はみ出し部が引っ掛からないように構成することが可能になる。  
これにより、弾性的に柔らかい摩擦部材を使っても、操作性の良いエッジガイド装置を実現することが可能になる。
【００１１】
本態様に係るエッジガイド装置は、エッジガイド本体が媒体収容部に収容されている被記録媒体の辺に接してその位置に止まってガイド機能を果たしている時も、摺動方向にスライド移動する時も、常に前記摩擦部材が前記摺接面に押し付けられた状態にある。この構造の場合、エッジガイド本体が前記「その位置に止まってガイド機能を果たしている時」は不用意に動いて位置ずれしないこと、そして前記「摺動方向にスライド移動する時」は摩擦抵抗が過度に大きくならないことが、操作性向上の点から求められる。  
本態様によれば、上記構成の摩擦部材ホルダーを備えているので、前記「その位置に止まってガイド機能を果たしている時」に不用意にエッジガイド本体が位置ずれしないようにするために柔らかい摩擦部材を用い、その結果前記はみ出し変形が起こっても、当該摩擦部材ホルダーの介在によって、上記の通り、そのはみ出しによる影響を受けないようにすることが可能である。従って、常に前記摩擦部材が前記摺接面に押し付けられた状態にある構造のエッジガイド装置において、その適用の効果は大である。
【００１２】
本発明の第２の態様は、前記第１の態様に係るエッジガイド装置において、前記摩擦部材ホルダーによる前記摩擦部材の保持構造は、前記摩擦部材の周囲の面であって少なくともエッジガイド本体の前記摺動方向に面する側を、前記摩擦部材の前記接触面を該摩擦部材ホルダーよりも前記摺接面側に突出させた状態で覆う構成であることを特徴とするものである。
【００１３】
エッジガイド本体をスライド移動させる際に、摩擦部材は摩擦抵抗によって移動方向の後方側に変形してはみ出ようとする。本態様によれば、摩擦部材ホルダーによる前記摩擦部材の保持構造は少なくともエッジガイド本体の前記摺動方向に面する側を覆う構造であるので、前記後方側への前記はみ出しを抑制することができ、もって弾性的に柔らかい摩擦部材を用いることによる前記引っ掛かりの虞を低減でき、操作性の向上を実現することができる。
【００１４】
摩擦部材ホルダーによる前記摩擦部材の保持構造を、摩擦部材の全周を覆う構造、すなわち摩擦部材ホルダーの凹部に摩擦部材を挿入して全周を固定保持する構造にすると、弾性変形による前記はみ出し量を少なくすることができ、前記引っ掛かりの虞を一層低減でき、操作性を一層向上させることができる。更に、該摩擦部材として弾性的に一層柔軟な素材を用いることが可能となり、摩擦部材の素材選定の自由度が増し、適切な素材を選定することで一層の操作性の向上を図ることができる。
【００１５】
本発明の第３の態様は、前記第１の態様または第２の態様に係るエッジガイド装置において、前記摩擦部材ホルダーは、前記エッジガイド本体の前記被取付部に対して摺動可能な全範囲において、該摩擦部材ホルダーの前記摺接面と面する端部が前記エッジガイド本体よりも前記摺接面側に位置するように構成されていることを特徴とするものである。
【００１６】
本態様によれば、摩擦部材の弾性変形による前記はみ出し部がエッジガイド本体との間では全く干渉しないので、摩擦部材の素材選定の自由度が増し、適切な素材を選定することで一層の操作性の向上を図ることができる。
【００１７】
本発明の第４の態様は、前記第１の態様または第２の態様に係るエッジガイド装置において、前記摩擦部材ホルダーの前記摩擦部材の周囲を保持する部位の厚みが、前記摩擦部材が前記摺接面に押し付けられた状態における弾性変形によって前記厚み方向にはみ出る量よりも大きく設定されていることを特徴とするものである。
【００１８】
本態様によれば、前記第３の態様とほぼ同様に、摩擦部材の弾性変形による前記はみ出し部がエッジガイド本体との間では全く干渉しないので、摩擦部材の素材選定の自由度が増し、適切な素材を選定することで一層の操作性の向上を図ることができる。
【００１９】
本発明の第５の態様は、被記録媒体を収容する媒体収容部を備える媒体収容カセットであって、前記媒体収容部に、前記第１の態様から第４の態様のいずれか一つの態様のエッジガイド装置を備えていることを特徴とするものである。
【００２０】
本態様によれば、媒体収容カセットとして、前記第１の態様から第４の態様のいずれか一つの態様の作用効果と同様の作用効果が得られる。
【００２１】
本発明の第６の態様は、被記録媒体を収容する媒体収容部を備える媒体収容カセットであって、前記媒体収容部に前記第１の態様から第４の態様のいずれか一つの態様のエッジガイド装置を備えていることを特徴とするものである。
【００２２】
本態様によれば、記録装置として、前記第１の態様から第４の態様のいずれか一つの態様の作用効果と同様の作用効果が得られる。
【図面の簡単な説明】
【００２３】
【図１】一実施例に係るエッジガイド装置を備える記録装置を示す要部斜視図。
【図２】一実施例に係るエッジガイド装置を備える媒体収容カセットを示す斜視図。
【図３】一実施例に係るエッジガイド装置の、使用を想定される最大幅の被記録媒体の辺に接してガイドしている状態での平面図。
【図４】一実施例に係るエッジガイド装置の、幅の狭い被記録媒体の辺に接してガイドしている状態での平面図。
【図５】一実施例に係るエッジガイド装置の摩擦停止機構の周辺を示す斜め下方からの分解斜視図。
【図６】エッジガイド装置の摩擦停止機構の一実施例を示す側断面図。
【図７】エッジガイド装置の摩擦停止機構の他の実施例を示す側断面図。
【図８】エッジガイド装置の摩擦停止機構の他の実施例を示す斜め下方からの分解斜視図。
【図９】エッジガイド装置の摩擦停止機構の他の２種の実施例（Ａ）（Ｂ）を示す横断面図。
【図１０】従来のエッジガイド装置の摩擦停止機構の構造（Ａ）と、同構造で弾性的に柔らかい摩擦部材を用いたときの問題点の生じた構造（Ｂ）を示す側断面図。
【発明を実施するための形態】
【００２４】
以下、図１から図６を参照しながら本発明の一実施例に係るエッジガイド装置２１Ａと、該エッジガイド装置２１Ａを備える媒体収容カセット２及び記録装置の一例であるインクジェットプリンター１について説明する。最初に図１に基づいてインクジェットプリンター１の概略構成を説明し、続いて図２に基づいて媒体収容カセット２の概略構成を説明する。
【００２５】
図１に示すように、インクジェットプリンター１は、プリンター本体の骨格材としてベースフレーム３を備えている。ベースフレーム３によって、後述する媒体収容カセット２を着脱可能に装着するための被装着部５と、該被装着部５の向って右側の第１領域９と、向って左側の第２領域１３とが区画されている。第１領域９には、記録ヘッドに対するキャップ装置や吸引ポンプ等の公知のインクシステム７が一例として設けられている。第２領域１３には、図示しない歯車輪列等が一例として設けられている。
【００２６】
図２に示すように、前記被装着部５に着脱可能に装着される媒体収容カセット２は、多数枚の被記録媒体（以下、「用紙」ともいう）Ｐを積畳状態で収容する媒体収容部１７を備え、該媒体収容部１７に後述するエッジガイド装置２１Ａが設けられている。  
媒体収容部１７は、平面視矩形状の上面が開放された浅底のトレイ状の構造である。媒体収容部１７は、その底板２３の奥側の表面（おもて面）に、後述するエッジガイド装置２１Ａのスライド移動を可能にするための平坦な摺接面（摺接面）６２と、ガイド孔２２が設けられている。
【００２７】
［実施例１］
＜第１エッジガイド及び第２エッジガイド＞
次に、図３から図６に基づいて上記媒体収容カセット２及びインクジェットプリンター１に対して適用されるエッジガイド装置２１Ａの一実施例の構成を具体的に説明する。  
本実施例のエッジガイド装置２１Ａは、対を成す第１エッジガイド４１及び第２エッジガイド５１と、前記第１エッジガイド４１と第２エッジガイド５１にスライド移動の動力を伝達する動力伝達機構３１と、更に前記各エッジガイドを構成するエッジガイド本体の停止状態を維持する摩擦停止機構６１と、を備えて構成されている。
【００２８】
媒体収容カセット２の媒体収容部１７の底板２３には、用紙Ｐの幅方向Ｂに平行に延びる６本のガイド孔２２，２２，…が設けられ、第１エッジガイド４１及び第２エッジガイド５１に設けられている図示しない係止部が前記ガイド孔２２，２２，…に嵌り込んで、当該第１エッジガイド４１及び第２エッジガイド５１が底板２３から浮き上がらないように保持されてスライド移動可能になっている。
【００２９】
前記第１エッジガイド４１は、向って右側に配設されるエッジガイドで、前記媒体収容部１７の底板２３に形成された摺接面６２に対して摺接し、内方（図３において左方向）に向けて水平に張り出すように設けられているガイドベース４５と、当該ガイドベース４５の外方端から上方に向けて垂直に立ち上げられている側面視矩形状のエッジガイド本体４２とを備えている。  
また、前記ガイドベース４５のほぼ中央部には、内方に向けて水平に張り出すように平板状のガイドアーム４９が設けられている。そして、該ガイドアーム４９の下面の手前側にラック５０が幅方向Ｂに沿って設けられている。
【００３０】
前記第２エッジガイド５１は、向って左側に配設されるエッジガイドで、前記媒体収容部１７の前記摺接面６２に対して摺接し、内方（図３において右方向）に向けて水平に張り出すように設けられているガイドベース５５と、当該ガイドベース５５の外方端から上方に向けて垂直に立ち上げられている側面視矩形状のエッジガイド本体５２とを備えている。  
また、前記ガイドベース５５のほぼ中央部には、内方に向けて水平に張り出すように平板状のガイドアーム５９が設けられている。そして、該ガイドアーム５９の下面の奥側にラック６０が幅方向Ｂに沿って設けられている。
【００３１】
第１エッジガイド４１及び第２エッジガイド５１の各エッジガイド本体４２、５２は、直接、用紙Ｐの辺Ｅに作用して用紙Ｐの幅方向Ｂの位置合わせをし、用紙Ｐの給送方向Ａへの搬送をガイドする部材である。  
各エッジガイド本体４２、５２の内側の面が用紙Ｐの辺Ｅに接触してガイドするガイド面４３、５３になっている。各エッジガイド本体４２、５２は、移動端すなわち最も外方に移動したとき、媒体収容カセット２の左右の各側壁部と一体化し、各ガイド面４３，５３は前記左右の側壁部の内面と面一となり、前記側壁部の一部となる兼用構造に構成されている。
【００３２】
前記動力伝達機構３１は、前記媒体収容部１７の前記摺接面６２における幅方向Ｂの中央部に回転可能な状態で設けられるピニオン歯車３３と、該ピニオン歯車３３を挟んで手前側と奥側に対向配置されている前記第１エッジガイド４１のガイドアーム４９と一体のラック５０と、前記第２エッジガイド５１のガイドアーム５９と一体のラック６０と、を備えることによって構成されている。  
そして、エッジガイド本体４２、５２のいずれか一方に、内方ないし外方に移動させる力を作用すると、当該動力伝達機構３１によってその動きに連動して他方のエッジガイド本体５２、４２が接近ないし離間する方向に移動する。これにより用紙のサイズに拘わらず、前記両エッジガイド本体４２、５２のガイド面４３、５３によって決まる中心位置に用紙Ｐが位置合せされるようになっている。
【００３３】
＜摩擦停止機構＞
図５に示すように、前記摩擦停止機構６１は、本実施例では、第２エッジガイド５１のエッジガイド本体５２に設けられている。エッジガイド本体５２には、前記ガイドベース５５の外方端の手前側の下面５４から当該エッジガイド本体５２にかけて角穴状の被取付部６５が設けられており、前記摩擦停止機構６１は当該被取付部６５に取り付けられる。
【００３４】
図６に示すように、摩擦停止機構６１（後述する他の実施例と区別する場合には「摩擦停止機構６１Ａ」と記す）は、具体的には、前記媒体収容部１７の前記摺接面６２に接触する摩擦部材６３と、該摩擦部材６３を保持し、前記摺接面６２に接近する方向Ｃ及び後退する方向Ｄとに摺動可能に被取付部６５に取り付けられる摩擦部材ホルダー６７と、該摩擦部材ホルダー６７を前記摺接面６２に向けて付勢し、前記摩擦部材６３の接触面６４を前記摺接面６２に押し付ける付勢部材６９と、を備えて構成されている。
【００３５】
尚、摩擦部材６３としては、弾性的に軟質で柔軟に変形し、安定して所望の摩擦力を発揮し得る軟質プラスチック材料、例えば軟質ポリウレタンフォーム等が使われる。ゴム、コルクも摩擦部材６３として使用可能である。  
また、摩擦部材ホルダー６７としては、弾性的に硬質で剛性を有する公知の硬質プラスチック材料が使用可能で、付勢部材６９としては、一例として圧縮コイルバネが使われている。
【００３６】
また、図５に示すように本実施例では、摩擦部材６３として平面視矩形のブロック状ないし板状の形状のものが使われている。
【００３７】
そして、摩擦部材ホルダー６７は、前記摩擦部材６３の周囲の四つの面８１、８３、８５、８７を保持するための凹部（保持空間）７１が前記摺接面６２と面している端部７３に形成されているブロック状の基部７５と、該基部７５の上面から上方に向けて立ち上げられている平板状の２枚のガイド片７７、７７と、前記基部７５の上面の中央部から上方に向けて立ち上げられている一例として丸棒状のバネ支持用の軸部７９と、を備えて構成されている。
【００３８】
図５に示したように、摩擦部材ホルダー６７による前記摩擦部材６３の保持構造は、摩擦部材６３の全周（周囲の面８１、８３、８５、８７）を、該摩擦部材６３の接触面６４を摩擦部材ホルダー６７の端部７３よりも摺接面６２側に突出させた状態で覆う構造になっている。すなわち、摩擦部材６３に対応する形状の凹部７１に該摩擦部材６３を挿入して全周（周囲の面８１、８３、８５、８７）を固定保持する構造になっている。
【００３９】
本実施例によれば、摩擦停止機構６１Ａは、摩擦部材６３を保持し、摺接面６２に接近及び後退する方向に摺動可能に、エッジガイド本体５２の被取付部６５に取り付けられる摩擦部材ホルダー６７を備えている。  
従って、摩擦部材６３として弾性的に柔らかい素材（軟質ポリウレタンフォーム等）のものが用いられて、前記付勢部材６９の付勢力によって該摩擦部材６３が弾性変形して前記はみ出し部６３Ａができても、当該摩擦部材ホルダー６７が介在しているので、そのはみ出しは当該摩擦部材ホルダー６７の部位で起こり、エッジガイド本体５２との間ではそのはみ出しの影響は生じないように構成することが可能になる。すなわちエッジガイド本体５２の前記被取付部６５の下面５４（入り口部）に前記はみ出し部６３Ａが引っ掛からないように構成することが可能になる。これにより、弾性的に柔らかい摩擦部材６３を使っても、操作性の良いエッジガイド装置を実現することが可能になっている。
【００４０】
また、摩擦部材ホルダー６７による摩擦部材６３の保持構造を、摩擦部材６３の全周（周囲の面８１、８３、８５、８７）を覆う構造にしているので、弾性変形による前記はみ出し量を少なくすることができ、前記引っ掛かりの虞を一層低減することができる。更に、摩擦部材６３として弾性的に一層柔軟な素材を用いることが可能となり、摩擦部材６３の素材選定の自由度が増し、適切な素材を選定することで一層の操作性の向上を図ることができる。
【００４１】
ところで、エッジガイド本体５２をスライド移動させる際に、摩擦部材６３は摩擦抵抗によって移動方向の後方側に変形してはみ出ようとする。従って、摩擦部材ホルダー６７による前記摩擦部材６３の保持構造は、図５のように全周を固定保持しなくても、少なくともエッジガイド本体５２の前記摺動方向に面する側を覆う構造であれば、前記後方側への前記はみ出しを抑制することができる。この保持構造によっても、弾性的に柔らかい摩擦部材６３を用いることによる操作性の向上を実現することができる。
【００４２】
図６に示したように、前記摩擦部材ホルダー６７は、前記エッジガイド本体５２の被取付部６５に対して摺動可能な全範囲において、摩擦部材ホルダー６７の前記摺接面６２と面する端部７３が前記エッジガイド本体２３の下面５４よりも摺接面６２側に位置するように構成されている。  
これにより、摩擦部材６３の弾性変形によるはみ出し部６３Ａがエッジガイド本体２３との間では全く干渉しないので、弾性的に柔らかい素材の摩擦部材６３の使用が可能になり、安定して所望の摩擦力を維持でき、エッジガイド本体２３の操作性を向上できる。
【００４３】
［実施例２］
実施例１のエッジガイド装置２１Ａ、該エッジガイド装置２１を備える媒体収容カセット２及び記録装置１は、以上述べたような構成を基本とするものであるが、上記構成に限定されず部分的構成の変更や省略等を適宜行うことは勿論可能である。  
図７に示すように、実施例２においては、エッジガイド装置２１Ｂは前記摩擦停止機構６１Ａとは異なる構成の摩擦停止機構６１Ｂが設けられている。すなわち、摩擦部材ホルダー６７の摩擦部材６３の周囲の面８１、８３、８５、８７を保持する部位８９の厚みｔは、前記摩擦部材６３が前記摺接面６２に押し付けられた状態における弾性変形によって前記厚みｔ方向にはみ出したはみ出し部６３Ａのはみ出る量Ｓよりも大きく設定されている。
【００４４】
実施例２の摩擦停止機構６１Ｂを備えるエッジガイド装置２１Ｂを採用した場合には、図示のようにエッジガイド本体２３の下面５４が摩擦部材ホルダー６７の端部７３よりも摺接面６２側に位置している条件下でも摩擦部材６３とエッジガイド本体２３の非接触状態が維持される。  
従って、図６に示す前記実施例と同様、摩擦部材６３の弾性変形による前記はみ出し部６３Ａがエッジガイド本体２３との間では全く干渉しないので、摩擦部材６３の素材選定の自由度が増し、適切な素材を選定することで所望の摩擦力が得られ、エッジガイド本体２３の一層の操作性の向上を図ることができる。
【００４５】
［実施例３］
図８は、エッジガイド装置の摩擦停止機構の他の実施例を示す斜め下方からの分解斜視図である。  
本実施例では、前記摩擦部材６３Ｓの形状は、図５に示す前記実施例のように平面視矩形のブロック状の形状ではなく、円柱状ないし円板状の形状に形成されている。摩擦部材ホルダー６７Ｓの形状も、摩擦部材６３Ｓの形状に合わせて円筒形状に構成されている。図において符号８８は、摩擦部材６３Ｓの円周面を示す。
【００４６】
図８に示す摩擦部材６３Ｓを適用した摩擦停止機構６１Ｃを備えるエッジガイド装置２１Ｃを採用した場合には、取付け方向に方向性がないから摩擦部材６３Ｓの取り付けが容易になる。  
【００４７】
［実施例４］
図９（Ａ）（Ｂ）は、エッジガイド装置の摩擦停止機構の他の二つの実施例を示す横断面図である。  
四角形状の摩擦部材６３の周囲の四つの面８１、８３、８５、８７或は円板状の摩擦部材６３Ｓの円周面８８を保持する摩擦部材ホルダー６７の凹部７１内に形成される保持面７２は、前記四つの周囲の面８１、８３、８５、８７或は前記円周面８８のすべての範囲を保持するのではなく、図９（Ａ）（Ｂ）に示すように、これらの一部の範囲を保持するように構成することも可能である。  
このような構成の摩擦停止機構６１Ｄ、６１Ｅを備えるエッジガイド装置２１Ｄ、２１Ｅを採用した場合には、前記保持面７２で保持していない空間に弾性変形した摩擦部材６３、６３Ｓが回り込むことができるため、摩擦部材６３、６３Ｓの外部にはみ出る量Ｓが少なくなる。
【００４８】
［その他の実施例］
この他、本発明のエッジガイド装置２１は、記録を伴わない装置の被給送材の幅方向Ｂの位置合わせに使用したり、着脱可能な媒体収容カセット２に限らず記録装置１等に常設されている給送用トレイに適用することが可能である。  
摩擦停止機構６１は他方のエッジガイド本体４２に設けられる構造でもよい。また、エッジガイド装置は、実施例のような中心位置合せ構造のものではなく、一方のエッジガイドのみスライド可能な片側基準合せのものであってもよい。
【００４９】
また、被記録媒体は、用紙Ｐに限らずポリエステルフィルム等の合成樹脂フィルム等であってもよい。
【符号の説明】
【００５０】
１  インクジェットプリンター（記録装置）、２  媒体収容カセット、
３  ベースフレーム、５  被装着部、７  インクシステム、９  第１領域、
１３  第２領域、１７  媒体収容部、２１  エッジガイド装置、２２  ガイド孔、
２３  底板、３１  動力伝達機構、３３  ピニオン歯車、４１  第１エッジガイド、
４２  エッジガイド本体、４３  ガイド面、４５  ガイドベース、
４９  ガイドアーム、５０  ラック、５１  第２エッジガイド、
５２  エッジガイド本体、５３  ガイド面、５４  下面、５５  ガイドベース、
５９  ガイドアーム、６０  ラック、６１  摩擦停止機構、６２  摺接面、
６３  摩擦部材、６３Ａ  はみ出し部、６３Ｓ  摩擦部材、６４  接触面、
６５  被取付部、６７  摩擦部材ホルダー、６７Ｓ  摩擦部材ホルダー、
６９  付勢部材、７１  凹部（保持空間）、７２  保持面、７３  端部、７５  基部、
７７  ガイド片、７９  軸部、８１  周囲の面、８３  周囲の面、８５  周囲の面、
８７  周囲の面、８８  円周囲、８９  保持する部位、Ｐ  用紙（被記録媒体）、
Ｅ  辺（エッジ）、Ａ  給送方向、Ｂ  幅方向、Ｃ  接近する方向、
Ｄ  後退する方向、ｔ  厚み、Ｓ  はみ出る量
【図１】
2011246248.tif 000003
【図２】
2011246248.tif 000004
【図３】
2011246248.tif 000005
【図４】
2011246248.tif 000006
【図５】
2011246248.tif 000007
【図６】
2011246248.tif 000008
【図７】
2011246248.tif 000009
【図８】
2011246248.tif 000010
【図９】
2011246248.tif 000011
【図１０】
2011246248.tif 000012